(57)【要約】      （修正有）【課題】屋外広告及びネオンサインを改良したもので、昼間の太陽光線を太陽発電装置の蓄電装置に蓄電したものを大型モバイルパネルである液晶パネル又は発光ダイオードパネルに昼間及び夜間に関係なく広告看板及びデザイン等を瞬時に変更できるものである。【解決手段】  大型モバイルパネルと太陽発電装置とを通電線で連結し、該大型モバイルパネルには、複数の液晶パネル及び発光ダイオードパネルを集合させて、１枚の大型パネルを構成し、且つ該大型パネルの一部にＩＣチップ及びミニカード差込機能と、短距離無線機能及び携帯電話機能とを各々収納した内臓機能装置を装設してある。該液晶パネル又は発光ダイオードパネルに向って携帯電話のスイッチボタンを操作すれば、瞬時に広告、デザインが変更できるようにした事を特徴としている。【選択図】図１
0003139641.tif 000002
【実用新案登録請求の範囲】
【請求項１】
大型モバイルパネルと通電線を介在した太陽発電装置よりなるモバイルパネル版屋外広告看板及びネオンサイン板において、該太陽発電装置には、内部に蓄電装置を収納し、該大型モバイルパネルには、外枠の内部に複数枚の液晶パネル又は発光ダイオードパネルを集合し、該液晶パネル又は発光ダイオードパネルの内部には、ＩＣチップ及びミニカード差込機能と、短距離無線機能及び携帯電話機能とを各々収納した内臓機能装置を据付け、該液晶パネル又は発光ダイオードパネルと連携して１個の大型パネルを作成して映像を送信する事を特徴とするモバイルパネル版屋外広告看板及びネオンサイン板。
【考案の詳細な説明】
【技術分野】
【０００１】  本考案は、現在使用されている屋外広告及びネオンサインに代えて大型液晶モバイルパネルの数枚を接続して大型パネルを作成し、ビル側壁、屋上等にソーラーシステム装置を設置してパネルの消費電力を賄うことを目的としたモバイルパネル版屋外広告看板及びネオンサイン板に関するものである。
【背景技術】
【０００２】  一般にこの種のモバイル機能を持った屋外の大型広告看板及び大型ネオンサインの場合は、デザイン等を変更する場合、変更に相当数の日時と手間と、莫大な費用と高圧電気を要するため多大な電力の費用が掛かるものである。また、即座に画面を変更する場合は、高所及び危険な場所、または大きい看板の施工のために危険度が多々ある問題がある。
【考案の開示】
【考案が解決しようとする課題】
【０００３】  本考案は、上記従来の欠点を解決するもので、その目的とする所は、大型液晶パネルとは別個の外部に、太陽発電装置（蓄電装置付バッテリー）であるソーラーシステムを設置して、該大型液晶パネルの消費電力を賄うようにする。また、集合した発光ダイオードの大型パネル又は大型液晶パネルを、１個の大型パネルとして、外部の携帯電話により、広告等のデザインの情報をパネルに備付けた各機能に送信して、容易にパネルデザイン等の変更が出来るようにしたものである。
【課題を解決するための手段】
【０００４】  上記目的を達成するために、本考案の大型モバイルパネルは、内部にバッテリーを収納した太陽発電装置と、通電線で接続し、該モバイルパネルには、液晶パネルを数十枚集合させた１個大型パネルと、発光ダイオードパネルには、各々内部にＩＣチップ及びミニカード差込機能とを各々据付けると共に、更に、短距離無線機能及び携帯電話機能とを各々据付けてある。そして、１個の大型パネルとして、画像、写真等を液晶パネル等に表示し、１個の映像となるように連帯調整機能を設けたものである。
【考案の効果】
【０００５】  本考案によれば、従来の屋外広告看板及びネオンサインと異なり、宣伝広告、デザイン等の情報を、大型モバイルパネルに備付けた内蔵機能装置に送信し、パネルデザイン等の変更が容易にできる効果と、昼間及び夜間の１日中屋外広告看板及び大型ネオンサイン板として使用できる効果がある。また、ビル側壁又は屋上に太陽発電装置を設置したので、パネルの消費電力を充分に賄うことが出来る効果もある。
更に、複数枚の液晶パネルによって１枚の大型モバイルパネルを作成し、簡単な操作で広告等を瞬時に変更できると共に、多数の広告も可能となり、単価が高い広告費を得ることができる効果がある。
また、発光ダイオードパネルは、光輝度があり、視認性が高く広告効果が著しく大きく、通常電気消費量は３０％程度であり、大変に省エネに役立つ効果もある。
【考案を実施するための最良の形態】
【０００６】  次に、本考案の最良の用法を説明すると、大型モバイルパネルは、太陽発電装置（ソーラーシステムパネル）による蓄電装置（バッテリー）によって、光輝度が得られるために、昼間及び夜間の１日中の時間帯に広告が出来る。更に、写真を記憶した携帯電話によれば、短距離無線機能を装着してあるパネルに向って携帯電話のスイッチボタンを押せば、瞬時に広告が変更できるものである。また、パネルに携帯電話機能の据付けにより、広告会社からの送信により広告宣伝の原稿、写真等は瞬時に変更できる特徴もある。
【実施例】
【０００７】  本考案の実施例を図面について説明すると、図１に示す如く、大型モバイルパネル（１）には、上部に通電線（３）を以って連結した太陽発電装置（２）を装設する。該太陽発電装置（２）には、内部の所定位置に蓄電装置（９）を収納してある。該大型モバイルパネル（１）には、液晶パネルを数枚から十数枚を集合させて、１個の大型パネルを作成する。また、大型液晶パネルか発光ダイオード（ＬＥＤ）の場合は、照射機能付のパネルを集合させるものである。
更に、該大型モバイルパネル（１）の外枠（５）の内部に集合した液晶パネル（６）又は発光ダイオードパネルの内部には、ＩＣチップ及びミニカード差込機能と、短距離無線機能（ブルーツース機能）及び携帯電話機能とを各々収納した内臓機能装置（７）を据付けてある。
また、該液晶パネル（６）（６）…を数枚集合した大型モバイルパネル（１）を１個のパネルとして、画像、写真等を液晶パネル（６）に表示するため、各液晶パネル（６）（６）を連携して１個の映像となるように、液晶パネル（６）（６）間の連携調整機能を装設してある。
また、大型液晶パネル又は発光ダイオードのパネルに対して、外部からの携帯電話により、広告等のデザインの情報を各パネルに備付けた機能に送信して１枚のパネルにおける写真又はデザイン等を瞬時に変更する事が出来るものである。
【図面の簡単な説明】
【０００８】
【図１】  本考案のモバイルパネル版屋外広告看板及びネオンサイン板を示す正面図である。
【符号の説明】
【０００９】１          大型モバイルパネル
２          太陽発電装置
３          通電線
５          外枠
６          液晶パネル
７          内臓機能装置
９          蓄電装置
【図１】
0003139641.tif 000003
【手続補正書】
【提出日】平成19年11月6日(2007.11.6)
【手続補正１】
【補正対象書類名】実用新案登録請求の範囲
【補正対象項目名】全文
【補正方法】変更
【補正の内容】
【実用新案登録請求の範囲】
【請求項１】
大型モバイルパネルと通電線を介在した太陽発電装置よりなるモバイルパネル版屋外広告看板において、該太陽発電装置には、内部に蓄電装置を収納し、該大型モバイルパネルには、外枠の内部に複数枚の液晶パネル又は発光ダイオードパネルを集合し、該液晶パネル又は発光ダイオードパネルの内部には、ＩＣチップ及びミニカード差込機能と、短距離無線機能及び携帯電話機能とを各々収納した内臓機能装置を据付け、該液晶パネル又は発光ダイオードパネルと連携して１個の大型パネルを作成して映像を送信する事を特徴とするモバイルパネル版屋外広告看板。
【請求項２】
大型モバイルパネルと通電線を介在した太陽発電装置よりなるモバイルパネル版ネオンサイン板において、該太陽発電装置には、内部に蓄電装置を収納し、該大型モバイルパネルには、外枠の内部に複数枚の液晶パネル又は発光ダイオードパネルを集合し、該液晶パネル又は発光ダイオードパネルの内部には、ＩＣチップ及びミニカード差込機能と、短距離無線機能及び携帯電話機能とを各々収納した内臓機能装置を据付け、該液晶パネル又は発光ダイオードパネルと連携して１個の大型パネルを作成して映像を送信する事を特徴とするモバイルパネル版ネオンサイン板。